(57)【要約】  調整可能な切削工具は、切削ヘッド（１２）と軸部（１４）とを備える。前記切削ヘッド（１２）は、凹部（３０）を備える突出した隆起部（２８）を有する。前記軸部は、終端が開口すると共に側面が開口するねじ溝が形成された調整穴に連通する溝（３４）を有する。前記隆起部は、前記ねじ溝の形成された調整穴（４２）に螺合しかつ前記隆起部（２８）の凹部（３０）に部分的に配置される調整ねじ（３８）と共に、前記溝（３４）内で滑動可能に配置され、前記調整ねじの回転は、切削ヘッドの横方向の移動を生じさせ、それによって、バリ取り工具の切削径を調整する。
2007533468.tif 000002
【特許請求の範囲】
【請求項１】
調整可能な切削工具（１０）であって、
回転軸Ａを有すると共に、軸部（１４）に調整可能に結合された切削ヘッド（１２）を備え、前記切削ヘッド（１２）は、前記インサートポケット（１８）、前面（２４）および、そこから突出する隆起部（２８）を有する後面（２６）を備え、前記隆起部（２８）は凹部（３０）を有し、
前記軸部（１４）は、終端が開口すると共に側面が開口するねじ溝が形成された調整穴（３６）に連通する溝（３４）を有し、前記隆起部（２８）は、前記ねじ溝の形成された調整穴（４２）に螺合しかつ前記隆起部（２８）の凹部（３０）に部分的に配置される調整ねじ（３８）と共に、前記溝（３４）内で滑動可能に配置されることを特徴とする調整可能な切削工具。
【請求項２】
前記隆起部（２８）は鳩の尾形を有し、前記溝（３４）は相補的な鳩の尾形を有していることを特徴とする請求項１に記載の調整可能なバリ取り工具。
【請求項３】
前記溝（３４）および前記螺子溝の形成された調整穴（４２）は、回転軸Ａに対して横方向に延在していることを特徴とする請求項１に記載の調整可能なバリ取り工具。
【請求項４】
前記切削ヘッド（１２）には、軸方向に延在する２つの長円形状の貫通孔（４０）が設けられると共に、前記軸部（１４）には、ねじ溝が形成された軸方向に延在する２つの固定穴（４２）が形成され、前記固定穴（４２）は前記軸部（１４）の前面（３２）に外側に向けて開口していることを特徴とする請求項１に記載の調整可能なバリ取り工具。
【請求項５】
前記切削ヘッド（１２）は、前記貫通孔（４０）内に配置されると共に、前記ねじ溝の形成された固定穴（４２）に螺合する２つの固定ねじ（４４）によって前記軸部（１４）に固定されることを特徴とする請求項１に記載の調整可能なバリ取り工具。
【請求項６】
前記インサートポケット（１８）に保持された切削インサート（１６）をさらに備えることを特徴とする請求項１に記載の調整可能なバリ取り工具。
【発明の詳細な説明】
【技術分野】
【０００１】
本発明は、異なる穴径の穴のバリを可能にする調整可能なバリ取り工具に関する。
【背景技術】
【０００２】
バリ取り工具は、一般に、一定の穴径の孔のバリを取るように設計されている。異なる穴径の孔のバリ取りを行うためには、適切な径のバリ取り工具を要求される。必然的に、各バリ取り工具には、バリ取り工具の径に合致するように設計された切削ブレードまたは切削インサートが要求される。従って、異なる穴径の穴のバリ取りを行う能力は、バリ取り工具のストック、あるいは適切な切削ブレードまたはインサートのストックが要求される。
【発明の開示】
【発明が解決しようとする課題】
【０００３】
本発明の目的は、種々の範囲の穴径を有する穴のバリ取りを可能にする調整可能なバリ取り工具を提供することにある。
【課題を解決するための手段】
【０００４】
本発明においては、調整可能なバリ取り工具が提供されている。この工具は、回転軸を有すると共に、軸に調整可能に結合された切削ヘッドを備え、前記切削ヘッドは、インサートポケット、前面、およびそこから突出する隆起部を有する後面とを備え、前記隆起部は凹部を有し、
前記軸部は、終端が開口すると共に側面が開口するねじ溝が形成された調整穴に連通する溝を有し、前記隆起部は、前記ねじ溝の形成された調整穴に螺合しかつ前記隆起部の凹部に部分的に配置される調整ねじと共に、前記溝内で滑動可能に配置される。
【０００５】
前記隆起部は鳩の尾形を有し、前記溝は相補的な鳩の尾形を有していることが好ましい。
【０００６】
本発明において、前記溝および前記螺子溝の形成された調整穴は、回転軸Ａに対して横方向に延在していることが好ましい。
【０００７】
前記切削ヘッドには、軸方向に延在する２つの長円形状の貫通孔が設けられると共に、前記軸部には、ねじ溝が形成された軸方向に延在する２つの固定穴が形成され、前記固定穴は前記軸部の前面に外側に向けて開口していることが、好ましい。
【０００８】
前記切削ヘッドは、前記貫通孔内に配置されると共に、前記ねじ溝の形成された固定穴に螺合する２つの固定ねじによって前記軸部に固定されることが、より好ましい。
【０００９】
通常切削インサートは、前記インサートポケットに保持される。
【発明を実施するための最良の形態】
【００１０】
より適切な理解のため、本発明は、添付の図面を参照しつつ、例と共に記載される。
【００１１】
先ず、図１および図２は、本発明におけるバリ取り工具１０を示している。バリ取り工具は、前後方向を規定する回転軸Ａを有すると共に、ほぼ円筒状の軸部１４に調整可能に連結されたほぼ円筒状の切削ヘッド１２を有している。切削ヘッドは、固定もしくは滑動可能にインサートポケット１８に保持された切削インサート１６を有している。２つの切削エッジ２０（２０’，２０’’）は、図に示されている。前方の切削エッジ２０’は、穴の前端をバリ取りするものであり、後方の切削エッジ２０’’は、貫通孔の後端をバリ取りするものである。図１において、切削ヘッド１２は、非調整位置における状態を示されている。この非調整位置では、バリ取り工具１０は、回転軸Ａからの切削エッジ２０の距離によって決定される所定の最小径を有する穴をバリ取りすることが可能である。図２において、切削ヘッド１２は、調整位置における状態を示している。この調整位置では、図２における回転軸Ａからの距離がより大きくなる位置にあるように、切削ヘッド１２が図１に示す非調整位置に関して横方向に移動されることに従って、バリ取り工具１０は、所定の最小径より大きな径を有する穴のバリ取りを行うことが可能になる。バリ取り工具を使用するオペレータの簡便のため、非調整位置に関連した切削ヘッド１２の相対的な移動を与えるスケールが設けられている。
【００１２】
ここで、再び図３ないし図５に戻る。切削ヘッド１２は、前面２４と、後面２６とを有し、その後面２６は、そこから突出し、かつ横方向へと延在する隆起部２８を有している。その隆起部２８は、鳩の尾形、すなわち外方および後方へと分岐する形状を有している。軸１４は、その前面３２に横方向に延在する溝３４を有しており、その溝３４は、隆起部２８の形状に対して相補的な鳩の尾形を有し、その隆起部２８は、回転軸Ａと直交する方向において前記溝に挿入することが可能である。その切削ヘッド１２は、溝３４内で滑動する隆起部と共に、回転軸Ａに直交して横方向に移動可能である。隆起部２８と溝３４との間の鳩の尾形の連結は、隆起部２８が溝３４内を滑動する間、軸１４の前面３２から溝３４の外側に外れないように、ある程度の安定性を保証する。
【００１３】
溝３４は、終端が開口すると共に側面が開口するねじ溝の形成された横方向に延在する調整穴３６に連通する。軸部１４に関連する切削ヘッド１２の横方向の調整は、調整ねじ３８によって実行される。切削ヘッド１２は溝３４に配置された隆起部２８を有する軸部１４、隆起部２８の凹部３０に部分的に配置された調整ねじ３８、およびねじ溝の形成された調整穴３６のねじ溝に調整可能に接続される。調整ねじ３８が回転されたとき、調整ねじは、ねじ溝の形成された調整穴３６内で横方向に移動し、同時に、隆起部２８の凹部に一部が配置されているので、切削ヘッド１２を横方向に付勢する。
【００１４】
切削ヘッドには、２つの軸方向に延在する長円形状の貫通孔４０が設けられ、軸部１４には、軸方向に延在するねじ溝が形成された２つの対応する固定穴４２が設けられ、その固定穴４２は軸部１４の前面３２に外側に向けて開口している。切削ヘッド１２は、貫通孔４０に配置されると共に、ねじ溝の形成された固定穴４２に螺合する２つの固定ねじ４４によって軸部１４に固定される。切削ヘッド１２の横方向の位置を調整するときには、固定ねじ４４を解放するだけで十分であり、貫通孔４０の長円形状は、切削ヘッド１２の横方向の移動を確保するために十分であるため、それらは完全に除去しなくとも良い。切削ヘッドの横方向の調整のために、以上に記載された機構は、切削エッジ２０の横方向の位置が連続する値の範囲を越えて調整されることを可能にし、それによって、バリ取り工具１０が、連続する直径の範囲を越える穴のバリ取りを行うことを可能とする、ということが理解されるであろう。同一の切削インサート１６が、全ての要求された直径に対して使用される。
【００１５】
本発明は、特定の範囲に関して述べたが、特許請求の範囲に記載された発明の範囲から逸脱することなく、種々の置換および変更が可能である。
【図面の簡単な説明】
【００１６】
【図１】本発明に基づくバリ取り工具の側面図である。
【図２】図１に示すバリ取り工具が調整位置を示す側面図であり、切削ヘッドが調整位置にある状態を示している。
【図３】図１に示すバリ取り工具の分解斜視図である。
【図４】図１に示すバリ取り工具の切削ヘッドの底部斜視図である。
【図５】図１に示すバリ取り工具を一部切欠して示す頂部の後方斜視図である。
【図１】
2007533468.tif 000003
【図２】
2007533468.tif 000004
【図３】
2007533468.tif 000005
【図４】
2007533468.tif 000006
【図５】
2007533468.tif 000007
【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
調整可能な切削工具（１０）であって、
回転軸Ａを有すると共に、軸部（１４）に調整可能に結合された切削ヘッド（１２）を備え、前記切削ヘッド（１２）は、前記インサートポケット（１８）、前面（２４）および、そこから突出する隆起部（２８）を有する後面（２６）を備え、前記隆起部（２８）は凹部（３０）を有し、
前記軸部（１４）は、終端が開口すると共に側面が開口するねじ溝が形成された調整穴（３６）に連通する溝（３４）を有し、前記隆起部（２８）は、前記ねじ溝の形成された調整穴（４２）に螺合しかつ前記隆起部（２８）の凹部（３０）に部分的に配置される調整ねじ（３８）と共に、前記溝（３４）内で滑動可能に配置され、
前記切削ヘッド（１２）には、軸方向に延在する長円形状の貫通孔（４０）が設けられ、前記軸部（１４）は、軸方向に延在するねじ溝の形成された対応する２つの固定穴（４２）が設けられ、前記固定穴（４２）は、軸部（１４）の前面（１４）において外側に向けて開口し、かつ前記切削ヘッド（１２）は前記貫通孔（４０）に配置されると共に、前記ねじ溝の形成された固定穴（４２）に螺合する２つの固定ねじ（４４）によって軸部（１４）に固定されることを特徴とする調整可能な切削工具。
【請求項２】
前記隆起部（２８）は鳩の尾形を有し、前記溝（３４）は相補的な鳩の尾形を有していることを特徴とする請求項１に記載の調整可能なバリ取り工具。
【請求項３】
前記溝（３４）および前記螺子溝の形成された調整穴（４２）は、回転軸Ａに対して横方向に延在していることを特徴とする請求項１に記載の調整可能なバリ取り工具。
【請求項４】
前記インサートポケット（１８）に保持された切削インサート（１６）をさらに備えることを特徴とする請求項１に記載の調整可能なバリ取り工具。
【国際調査報告】
2007533468.tif 000008
2007533468.tif 000009